(57)【特許請求の範囲】
【請求項１】
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部には、
縦置きした際に、短手方向中央に頂点部が形成されたフック孔と、
縦置きした際に、前記家庭用薄葉紙の下端部の位置を下側の前記妻面部の内面位置よりも上側に位置するように前記家庭用薄葉紙を支持する押上げ部と、
が設けられ、
前記押上げ部は、
前記底面部に設けられ、縦置きした際に上側となる一辺を除いて外周がミシン目により形成され、
前記ミシン目が破断され、前記押上げ部の上側の一辺が折り曲げられて傾斜した状態で配置される傾斜部と、
前記傾斜部から折り曲げられて前記妻面部と略水平な状態で配置される用紙支持部と、
前記用紙支持部の先端に設けられ、前記取出口を挿通して当該取出口の縁部に係止される係止部と、
を備えることを特徴とする家庭用薄葉紙収納箱。
【請求項２】
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部には、
縦置きした際に、短手方向中央に頂点部が形成されたフック孔と、
縦置きした際に、前記家庭用薄葉紙の下端部の位置を下側の前記妻面部の内面位置よりも上側に位置するように前記家庭用薄葉紙を支持する押上げ部と、
が設けられ、
前記押上げ部は、
前記底面部及び縦置きした際に下側となる前記妻面部に設けられ、縦置きした際に上側となる一辺を除いて外周がミシン目により形成され、
前記ミシン目が破断され、前記押上げ部の上側の一辺が折り曲げられて傾斜した状態で配置される第１傾斜部と、
前記第１傾斜部から上方に折り曲げられて前記取出口に近づく方向に傾斜した状態で配置される第２傾斜部と、
前記第２傾斜部の先端に設けられ、前記取出口を挿通して当該取出口の縁部に係止される係止部と、
を備えることを特徴とする家庭用薄葉紙収納箱。
【請求項３】
前記フック孔は、前記底面部の長手方向の一端部から前記長手方向の幅の２６〜４４％の位置に形成されていることを特徴とする請求項１又は２に記載の家庭用薄葉紙収納箱。
【請求項４】
前記傾斜部は、前記長手方向の長さが前記箱体の高さと同一となるように形成され、
前記用紙支持部は、前記長手方向の長さが前記箱体の高さの半分の長さとなるように形成されていることを特徴とする請求項１に記載の家庭用薄葉紙収納箱。
【請求項５】
前記係止部は、縦置きした際に前記取出口の前記長手方向の下側の端部に係止されることを特徴とする請求項１から４のいずれか一項に記載の家庭用薄葉紙収納箱。
【請求項６】
前記係止部は、前記取出口を覆うフィルムに挿通されることを特徴とする請求項１から５のいずれか一項に記載の家庭用薄葉紙収納箱。
【発明の詳細な説明】
【技術分野】
【０００１】
本発明は、家庭用薄葉紙収納箱に関する。
【背景技術】
【０００２】
従来、積層され、或いはロール状に巻回された家庭用薄葉紙を内部に収容し、上面部などに設けられた開口部から内部に収容された家庭用薄葉紙を取り出して使用する家庭用薄葉紙収納箱が知られている。
上記の家庭用薄葉紙収納箱は、机上に置いて使用する他、壁に掛けて使用する等、様々な方法で使用されている。
【０００３】
例えば、横置きや縦置き等がされた場合であっても、引き出された家庭用薄葉紙がカートン内部に落ち込むことを効果的に防止することが可能な家庭用薄葉紙収納箱が開示されている（例えば、特許文献１参照）。
また、市販の家庭用薄葉紙収納箱のサイズのばらつきを幾らでも許容できて、しっかりと保持可能な家庭用薄葉紙収納箱ホルダーが開示されている（例えば、特許文献２参照）。
また、底面（背面）部分に、フックに掛けたり紐等を通したりして位置を固定するためのタブを形成可能とした家庭用薄葉紙収納箱が開示されている（例えば、特許文献３参照）。
【先行技術文献】
【特許文献】
【０００４】
【特許文献１】特開２００７−２９７０７９号公報
【特許文献２】特開２００６−１９８３７９号公報
【特許文献３】特開２００５−２１９８０９号公報
【発明の概要】
【発明が解決しようとする課題】
【０００５】
しかしながら、上記特許文献１の家庭用薄葉紙収納箱は、壁掛けするための機能を有していないため、壁掛けして使用することができない。上記特許文献２記載の家庭用薄葉紙収納箱ホルダーやマグネットバーなどを背面に取り付けることで壁掛けすることは可能となるが、コストが余計に掛かるという問題がある。
また、上記特許文献３の家庭用薄葉紙収納箱は、背面にタブを形成することで壁掛けすることは可能となるが、内部に収容された家庭用薄葉紙が残り少なくなった際に、残りの家庭用薄葉紙がカートンの下部へと落ち込んでしまい、取り出し性が悪化するという問題がある。また、家庭用薄葉紙を取り出す毎に、タブの付け根部分に負荷が掛かるため、使い切るまでに破損して壁掛けできなくなるという問題がある。
【０００６】
本発明は、壁掛けして使用する場合であっても、使い切るまで取り出し性を確保することが可能な家庭用薄葉紙収納箱を提供することを目的とする。
【課題を解決するための手段】
【０００７】
請求項１に記載の発明は、上記目的を達成するためになされたものであり、
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部には、
縦置きした際に、短手方向中央に頂点部が形成されたフック孔と、
縦置きした際に、前記家庭用薄葉紙の下端部の位置を下側の前記妻面部の内面位置よりも上側に位置するように前記家庭用薄葉紙を支持する押上げ部と、
が設けられ、
前記押上げ部は、
前記底面部に設けられ、縦置きした際に上側となる一辺を除いて外周がミシン目により形成され、
前記ミシン目が破断され、前記押上げ部の上側の一辺が折り曲げられて傾斜した状態で配置される傾斜部と、
前記傾斜部から折り曲げられて前記妻面部と略水平な状態で配置される用紙支持部と、
前記用紙支持部の先端に設けられ、前記取出口を挿通して当該取出口の縁部に係止される係止部と、
を備えることを特徴とする。
【０００８】
請求項２に記載の発明は、
上面部、底面部、一対の側面部及び一対の妻面部により区画された箱体により構成され、当該箱体の内部空間に家庭用薄葉紙を収納して前記上面部に設けられた取出口から当該家庭用薄葉紙を取り出し可能な家庭用薄葉紙収納箱において、
前記底面部には、
縦置きした際に、短手方向中央に頂点部が形成されたフック孔と、
縦置きした際に、前記家庭用薄葉紙の下端部の位置を下側の前記妻面部の内面位置よりも上側に位置するように前記家庭用薄葉紙を支持する押上げ部と、
が設けられ、
前記押上げ部は、
前記底面部及び縦置きした際に下側となる前記妻面部に設けられ、縦置きした際に上側となる一辺を除いて外周がミシン目により形成され、
前記ミシン目が破断され、前記押上げ部の上側の一辺が折り曲げられて傾斜した状態で配置される第１傾斜部と、
前記第１傾斜部から上方に折り曲げられて前記取出口に近づく方向に傾斜した状態で配置される第２傾斜部と、
前記第２傾斜部の先端に設けられ、前記取出口を挿通して当該取出口の縁部に係止される係止部と、
を備えることを特徴とする。
【０００９】
請求項３に記載の発明は、請求項１又は２に記載の家庭用薄葉紙収納箱において、
前記フック孔は、前記底面部の長手方向の一端部から前記長手方向の幅の２６〜４４％の位置に形成されていることを特徴とする。
【００１０】
請求項４に記載の発明は、請求項１に記載の家庭用薄葉紙収納箱において、
前記傾斜部は、前記長手方向の長さが前記箱体の高さと同一となるように形成され、
前記用紙支持部は、前記長手方向の長さが前記箱体の高さの半分の長さとなるように形成されていることを特徴とする。
【００１２】
請求項５に記載の発明は、請求項１から４のいずれか一項に記載の家庭用薄葉紙収納箱において、
前記係止部は、縦置きした際に前記取出口の前記長手方向の下側の端部に係止されることを特徴とする。
【００１３】
請求項６に記載の発明は、請求項１から５のいずれか一項に記載の家庭用薄葉紙収納箱において、
前記係止部は、前記取出口を覆うフィルムに挿通されることを特徴とする。
【発明の効果】
【００１４】
請求項１に記載の発明によれば、フックとの接触部分に掛かる負荷を軽減することができるので、使い切るまで壁掛けして使用することができる。また、壁掛けして使用する場合であっても、家庭用薄葉紙の落ち込みを防止することができるので、取り出し性を確保することができる。
また、取出口の下端部の高さに妻面部と略水平な用紙支持部が配置されるので、家庭用薄葉紙が押上げ部と取出口の下端部との間で詰まることなく、最後まで取り出し性を確保することができる。
【００１５】
請求項２に記載の発明によれば、フックとの接触部分に掛かる負荷を軽減することができるので、使い切るまで壁掛けして使用することができる。また、壁掛けして使用する場合であっても、家庭用薄葉紙の落ち込みを防止することができるので、取り出し性を確保することができる。
また、家庭用薄葉紙収納箱の高さが高く取出口が幅狭である場合であっても、家庭用薄葉紙を収容している側の内部空間を広く保つことができるので、家庭用薄葉紙の取り出し性を十分に確保することができる。
【００１６】
請求項３に記載の発明によれば、フックとの接触部分が破損したり、フックとの接触部分を中心として傾いたり回転したりすることを防止することができるので、使い切るまでより確実に取り出し性を確保することができる。
【００１７】
請求項４に記載の発明によれば、残り半分以下となった家庭用薄葉紙を所定位置よりも上側に位置するように支持することができるので、使用者が取り出しにくさを感じ始めるタイミングに合わせて取り出し性を確保することができる。
【００１８】
請求項５に記載の発明によれば、取出口の幅を最大限確保することができるので、取出し性の悪化を抑制することができる。
【００１９】
請求項６に記載の発明によれば、容易に押上げ部を位置決めすることができるので、簡易な作業で取り出し性を確保することができる。
【図面の簡単な説明】
【００２１】
【図１】本実施形態に係るティシューカートンの一例を示す斜視図である。
【図２】ティシューカートンの箱体を展開した表面の展開図である。
【図３】ティシューカートンの箱体を展開した裏面の展開図である。
【図４】ティシューカートンの箱体を成形した側面の図である。
【図５】フック孔部及び押上げ部を押し込んだティシューカートンの一例を示す斜視図である。
【図６】フック孔部及び押上げ部を押し込んだティシューカートンの一例を示す側面断面図である。
【図７】実使用時のティシューカートンの振れ幅を示す側面図である。
【図８】押上げ部を押し込む前のティシューカートンの一変形例を示す斜視図である。
【図９】フック孔部及び押上げ部を押し込んだティシューカートンの一変形例を示す斜視図である。
【図１０】フック孔部及び押上げ部を押し込んだティシューカートンの一変形例を示す側面断面図である。
【発明を実施するための形態】
【００２２】
以下、本発明の実施の形態に係る家庭用薄葉紙収納箱について、図面を参照しながら詳細に説明する。ただし、発明の範囲は、図示例に限定されない。
本発明の実施の形態では、家庭用薄葉紙収納箱として、家庭用薄葉紙としてのティシューペーパーを収納する、ティシューカートンを例示して説明を行う。
【００２３】
本実施形態に係るティシューカートン１は、例えば、図１〜図４に示すように、上面部２、底面部３、一対の側面部４，４、及び、一対の妻面部５，５により区画された箱体により構成されている。このティシューカートン１は、図２及び図３に示す紙製のカートンブランク１ａを折り曲げることにより形成されるものである。このティシューカートン１の内部空間には、積層されたティシューペーパーＴが収納されており、上面部２に形成された取出口２ａからティシューペーパーＴを外部へ取り出すことができるようになっている。なお、カートンブランク１ａは、紙製に限らず、樹脂によって形成されてもよい。
【００２４】
ここで、「箱体」とは、ティシューペーパーＴを収納し得る内部空間が形成される形状のものであり、例えば、直方体状、立方体状等の六面体状のものを挙げることができる。例えば、図１は、ティシューカートン１を直方体状に構成した例である。
六面体の形状では、上面部２と底面部３、一対の側面部４，４及び一対の妻面部５，５がそれぞれ対向するように平行に配置される。なお、これらの形状において、二つの面の稜線部分を面取りしたもの等も「箱体」に含まれるものとする。
【００２５】
上面部２には、図３に示すように、取出口２ａを覆うように裏面側からスリット８ａを有する樹脂製のフィルム８が貼着されている。フィルム８は、上面部２裏面の取出口２ａ周囲に塗布された接着剤８ｂにより、スリット８ａが取出口２ａに臨むように上面部２に対して貼着される。そして、ティシューペーパーＴは、このスリット８ａを通して外部に取り出されることとなる。なお、フィルム８の材質は、ポリエチレンやポリプロピレンが採用されるが、これらに限定されない。また、取出口２ａは、上面部２に設けられたミシン目を切って、上面部２の一部を切り取ることにより形成される。
【００２６】
また、図２及び図３に示すように、上面部２、底面部３及び側面部４，４は、それぞれ略長方形状に形成され、折り曲げ可能に連接されている。そして、底面部３の長手端縁には、側面部４の長手端縁と連結するための台形状の糊代部３ａが折曲線３ｂにて折り曲げ可能に連接されている。このように形成されたカートンブランク１ａは、上面部２、底面部３及び側面部４，４をそれぞれ折曲するとともに、糊代部３ａを折曲して底面部３と連接していない側の側面部４の裏面の長手端縁に糊付けして底面部３と側面部４とを連結することにより、筒状に形成される。
【００２７】
また、上面部２、底面部３及び一対の側面部４，４の両側端縁から、それぞれ上面側フラップ５ｂ、底面側フラップ５ａ、側面側フラップ５ｃが延出され、それぞれ折曲部１３，１４，１５にて内側に折り曲げ可能に連接されている。そして、上面側フラップ５ｂ、底面側フラップ５ａ及び一対の側面側フラップ５ｃが重畳するように取り付けられることにより、図１及び図４に示されるような妻面部５が形成されるようになっている。
【００２８】
また、底面部３には、図２及び図３に示すように、本実施形態に係るティシューカートン１を壁掛けする際、壁に取り付けられたフックに掛けるためのフック孔部３１が形成されている。フック孔部３１は、壁掛け（縦置き）される際に円弧部分が上を向くように略半円形状に形成され、円弧部分がミシン目により形成されている。フック孔部３１は、指などによってティシューカートン１の内部空間の方向に圧力がかかると、ミシン目により形成された円弧部分が破断され、底面部３にフック孔３２（図５及び図６参照）が形成される。本実施形態に係るティシューカートン１は、壁掛けされる際、フック孔３２の上端の位置でフックＦ（図７（Ａ）参照）に固定される。
【００２９】
また、フック孔部３１は、図２、図３及び図７（Ａ）に示すように、底面部３の短手方向略中央に頂点部が形成された形状であって、長手方向の一端部（縦置きする際の上端部）からフック孔部３１の頂点部が長手方向の幅の２６〜４４％の位置に形成されることが好ましく、特に、３０〜４０％の位置（例えば、長手方向の幅が２２９ｍｍの場合、一端部から７０〜９０ｍｍの位置）に形成されることがより好ましい。
【００３０】
表１に長手方向の一端部からの距離と使用結果との関係を示す。なお、表１は、カートン原紙米坪が２５０〜３００ｇ／ｍ２、長手方向の幅が２２９ｍｍ、短手方向の幅が１１５ｍｍ、高さが４５ｍｍの３２０枚（１６０組）入りのティシューカートン１において、長手方向の一端部からフック孔部３１の頂点部の位置を変更した各ティシューカートン１よりティシューペーパーＴを１０組連続して取り出し、使用した結果を示している。
表１の評価におけるフックＦは、オート製マグネットフック型番ＯＭ−１４Ｍ（フック部材質ステンレス）（寸法：幅４０ｍｍ、高さ７５ｍｍ）を使用した。
【表１】
0006637274.tif 000002
【００３１】
［壁掛けしたティシューカートン１の使用結果についての評価］
◎；問題なく使用可能
○；若干の問題はあるが使用続行に支障なし
△；使用可能であるが使用続行に支障あり
の三段階で評価した。
表１に示すように、長手方向の一端部からの距離が６０ｍｍ未満（即ち、長手方向の幅の２６％未満の位置）では、使用可能ではあるものの使用を続行することに支障が生じた。これは、図７（Ｂ）に示すように、フック孔部３１を長手方向の幅の２６％の位置よりも一端部側に形成した場合、本実施形態である図７（Ａ）に示す例と比較して、ティシューペーパーＴを取り出す際の取り出し方向（ティシューカートン１の高さ方向）の振れ幅ｈ５が実施形態の振れ幅ｈ４よりも相対的に大きくなるため、フックＦとの接触部分の負荷が大きくなり、破損が生じるからである。
また、長手方向の一端部からの距離が６０ｍｍ以上７０ｍｍ未満（即ち、長手方向の幅の２６〜３０％の位置）では、軽微な破損等の若干の問題は発生したが使用を続行することに支障は生じなかった。
また、長手方向の一端部からの距離が７０ｍｍ以上９０ｍｍ未満（即ち、長手方向の幅の３０〜４０％の位置）では、問題なく使用することができた。
また、長手方向の一端部からの距離が９０ｍｍ以上１００ｍｍ以内（即ち、長手方向の幅の４０〜４４％の位置）では、軽微な傾きや回転等の若干の問題は発生したが使用を続行することに支障は生じなかった。
一方、長手方向の一端部からの距離が１００ｍｍを超える距離（即ち、長手方向の幅の４４％を超える位置）では、使用可能ではあるものの使用を続行することに支障が生じた。これは、フック孔部３１を長手方向の幅の４４％の位置よりも他端部（縦置きする際の下端部）側に形成した場合、フック孔３２が重心に近づきすぎるため、短手方向の安定性が悪化して、ティシューペーパーＴを取り出す際にフックＦとの接触部分を中心として傾いたり回転したりするからである。
従って、フック孔部３１は、長手方向の一端部から長手方向の幅の２６％の位置から４４％の位置の間に形成されることが好ましく、特に、長手方向の一端部から長手方向の幅の３０〜４０％の位置に形成されることがより好ましい。
【００３２】
また、底面部３には、壁掛けして使用する際、残り少なくなったティシューペーパーＴを所定位置（取出口２ａの下端部）よりも上側に位置するように支持することで、下部への落ち込みを防止する押上げ部３３が形成されている。押上げ部３３は、一端部（上端部）を除いて外周がミシン目により形成されている。押上げ部３３は、図５及び図６に示すように、指などによってティシューカートン１の内部空間の方向に圧力がかかると、ミシン目により形成された部分が破断され、上端部を支軸として内部空間方向に回動する。押上げ部３３は、上端部が折り曲げられて傾斜した状態で配置される傾斜部３４と、傾斜部３４から折り曲げられて妻面部５と略水平な状態で配置される用紙支持部３５と、用紙支持部３５の先端に設けられ、取出口２ａを挿通して当該取出口２ａの近傍に係止される係止部３６と、を備えて構成されている。
【００３３】
傾斜部３４の長さｈ１は、ティシューカートン１の高さｈ２と同一となるように形成されている。
用紙支持部３５の長さｈ３は、ティシューカートン１の高さｈ２の半分となるように形成されている。これにより、残り半分までのティシューペーパーＴを支持することができる。
上記の条件で、図６に示すように、傾斜部３４と用紙支持部３５との境界（折り目）を取出口２ａの下端部の位置と同じ高さとなるように配置することで、用紙支持部３５の先端部（係止部３６）が取出口２ａの下端部の位置と合致する。従って、係止部３６を、取出口２ａを覆うフィルム８に挿通して係止させることができる。
【００３４】
本実施形態に係るティシューカートン１は、工場出荷時には、積層された複数のティシューペーパーＴを内部空間に収納し、各フラップを貼着して妻面部５を形成して内部空間を封緘することにより、側面部の強度を高め、ティシューカートン１の輸送や店頭での陳列時において、外部からの力によってティシューペーパーＴがティシューカートン１より脱出することを防止している。
【００３５】
次に、本実施形態に係るティシューカートン１の組立方法及び使用方法について説明する。
まず、カートンブランク１ａは、上面部２、底面部３及び側面部４，４をそれぞれ折曲するとともに、糊代部３ａを折曲して底面部３と連接していない側の側面部４の裏面の長手端縁に糊付けして底面部３と側面部４とを連結することにより、筒状の内部空間が形成される。これにより、上面部２、底面部３、及び一対の側面部４，４は、箱体を構成する。
次いで、積層された複数のティシューペーパーＴを筒状の内部空間に収納する。
最後に、側面側フラップ５ｃを、対向配置される側面側フラップ５ｃの端部が対向するように、それぞれ内側に折曲し、次に、底面側フラップ５ａを折曲して、側面側フラップ５ｃの外面側に設けられた接着部Ｇ１によって側面側フラップ５ｃに貼着する。そして、上面側フラップ５ｂの裏面（内側面）端部が底面側フラップ５ａの外面端部に重畳するように、上面側フラップ５ｂを折曲し、底面側フラップ５ａに対して取り付ける。ここで、上面側フラップ５ｂの裏面端部の所定部位には接着部Ｇ２，Ｇ３が設けられており、上面側フラップ５ｂが底面側フラップ５ａに対して貼着される。このようにして、上面側フラップ５ｂ、底面側フラップ５ａ及び一対の側面側フラップ５ｃを重畳するように取り付けることにより、妻面部５を形成して、内部空間を封緘する。
【００３６】
上記の方法により組み立てられたティシューカートン１は、底面部３に形成されたフック孔部３１が内部空間の方向に押し込まれることでフック孔３２が形成され、そのフック孔３２を壁に取り付けられたフックＦに掛けることで、縦置きして使用可能となる。
縦置きされた状態でティシューペーパーＴが引き出されて、残りのティシューペーパーＴが少なくなった場合（例えば、５０％以下となった場合）は、底面部３に形成された押上げ部３３を内部空間の方向に押し込んで、最先端に位置する係止部３６を、取出口２ａを覆うフィルム８の下端部に係止させる。残りのティシューペーパーＴは、押上げ部３３の用紙支持部３５に支持されて、下部への落ち込みが抑制される。
【００３７】
以上のように、本実施形態に係るティシューカートン１によれば、底面部３には、縦置きした際に、短手方向中央に頂点部が形成されたフック孔３２と、縦置きした際に、家庭用薄葉紙（ティシューペーパーＴ）の下端部の位置を下側の妻面部５の内面位置よりも上側に位置するように家庭用薄葉紙を支持する押上げ部３３と、が設けられている。
従って、本実施形態に係るティシューカートン１によれば、フックＦとの接触部分に掛かる負荷を軽減することができるので、使い切るまで壁掛けして使用することができる。また、壁掛けして使用する場合であっても、ティシューペーパーＴの落ち込みを防止することができるので、取り出し性を確保することができる。
【００３８】
また、本実施形態に係るティシューカートン１によれば、フック孔３２は、底面部３の長手方向の一端部から長手方向の幅の２６〜４４％の位置に形成されているので、フックＦとの接触部分が破損したり、フックＦとの接触部分を中心として傾いたり回転したりすることを防止することができ、使い切るまでより確実に取り出し性を確保することができる。
【００３９】
また、本実施形態に係るティシューカートン１によれば、押上げ部３３は、底面部３に設けられたミシン目を破断することにより形成され、底面部３の長手方向の一端部が折り曲げられて傾斜した状態で配置される傾斜部３４と、傾斜部３４から折り曲げられて妻面部５と略水平な状態で配置される用紙支持部３５と、用紙支持部３５の先端に設けられ、取出口２ａを挿通して当該取出口２ａの近傍に係止される係止部３６と、を備える。
従って、本実施形態に係るティシューカートン１によれば、取出口２ａの下端部の高さに妻面部５と略水平な用紙支持部３５が配置されるので、ティシューペーパーＴが押上げ部３３と取出口２ａの下端部との間で詰まることなく、最後まで取り出し性を確保することができる。
【００４０】
また、本実施形態に係るティシューカートン１によれば、傾斜部３４は、長手方向の長さが箱体の高さと同一となるように形成され、用紙支持部３５は、長手方向の長さが箱体の高さの半分の長さとなるように形成されている。
従って、本実施形態に係るティシューカートン１によれば、残り半分以下となった家庭用薄葉紙を所定位置よりも上側に位置するように支持することができるので、使用者が取り出しにくさを感じ始めるタイミングに合わせて取り出し性を確保することができる。
【００４１】
また、本実施形態に係るティシューカートン１によれば、係止部３６は、取出口２ａの長手方向の他端部近傍に係止されるので、取出口２ａの幅を最大限確保することができ、取り出し性の悪化を抑制することができる。
【００４２】
また、本実施形態に係るティシューカートン１によれば、係止部３６は、取出口２ａを覆うフィルム８に係止されるので、容易に押上げ部３３を位置決めすることができ、簡易な作業で取り出し性を確保することができる。
【００４３】
以上、本発明に係る実施形態に基づいて具体的に説明したが、本発明は上記実施形態に限定されるものではなく、その要旨を逸脱しない範囲で変更可能である。
【００４４】
（変形例）
例えば、図８〜図１０に示すティシューカートン１Ａは、実施形態に係るティシューカートン１と比べ、取出口２ｂの形状（大きさ）及び押上げ部３３Ａの構成（配置）が異なっている。なお、説明の簡略化のため、実施形態と同様の構成については、同一の符号を付して、その詳細な説明を省略する。
【００４５】
変形例に係るティシューカートン１Ａの内部空間には、積層された保湿ティシューペーパーＷＴが収納されている。一般に、保湿ティシューペーパーＷＴや高級ティシューペーパーを収納するティシューカートン１Ａは、その高さが高くなるように形成される。
そこで、変形例に係るティシューカートン１Ａの取出口２ｂは、実施形態に係るティシューカートン１の取出口２ａ（図６参照）と比べ、幅狭に形成されている。即ち、変形例の取出口２ｂの下端部は、実施形態の取出口２ａの下端部と比べ、上方の位置に形成されている。変形例に係るティシューカートン１Ａは、取出口２ｂを幅狭に形成することで、高さが高いティシューカートン１Ａに収納された保湿ティシューペーパーＷＴを取り出す際の取り出し性を確保することができるようになっている。
【００４６】
ここで、変形例に係るティシューカートン１Ａのように、取出口２ｂが幅狭に形成されている場合、実施形態の押上げ部３３の構成では、保湿ティシューペーパーＷＴを収容している側の内部空間が狭くなるという課題が生じる。
そこで、変形例に係るティシューカートン１Ａでは、保湿ティシューペーパーＷＴを収容している側の内部空間を広く保つべく、実施形態の押上げ部３３とは異なる構成を備えるようにしている。
【００４７】
具体的には、変形例に係るティシューカートン１Ａの底面部３及び下側の妻面部５には、壁掛けして使用する際、残り少なくなった保湿ティシューペーパーＷＴを所定位置（取出口２ｂの下端部と下側の妻面部５の内面位置との間の位置）に位置するように支持することで、保湿ティシューペーパーＷＴを収容している側の内部空間を広く保ちつつ下部への落ち込みを防止する押上げ部３３Ａが形成されている。押上げ部３３Ａは、一端部（上端部）を除いて外周がミシン目により形成されている。押上げ部３３Ａは、図９及び図１０に示すように、指などによってティシューカートン１Ａの内部空間の方向に圧力がかかると、ミシン目により形成された部分が破断され、上端部を支軸として内部空間方向に回動する。押上げ部３３Ａは、上端部が内部空間方向に折り曲げられて傾斜した状態で配置される第１傾斜部３４Ａと、第１傾斜部３４Ａから上方に折り曲げられて取出口２ｂの方向に傾斜した状態で配置される第２傾斜部３５Ａと、第２傾斜部３５Ａの先端に設けられ、取出口２ｂを挿通して当該取出口２ｂの近傍に係止される係止部３６Ａと、を備えて構成されている。
【００４８】
第１傾斜部３４Ａは、底面部３に形成され、第２傾斜部３５Ａ及び係止部３６Ａは、下側の妻面部５に形成される。即ち、第１傾斜部３４Ａ及び第２傾斜部３５Ａの連接部分は、図８に示すように、底面部３及び下側の妻面部５の連接部分と一致する。
ここで、第１傾斜部３４Ａ及び第２傾斜部３５Ａは、互いの連接部分以外の部分においても、自由に折り曲げることができる。従って、例えば、保湿ティシューペーパーＷＴの残り枚数に応じて第１傾斜部３４Ａ及び第２傾斜部３５Ａを臨機応変に折り曲げることで、より確実に保湿ティシューペーパーＷＴの取り出し性を確保することができる。
なお、第１傾斜部３４Ａ及び第２傾斜部３５Ａの連接部分は、上記例に限定されるものではなく、底面部３及び下側の妻面部５の連接部分以外の箇所に形成するようにしてもよい。
【００４９】
以上のように、変形例に係るティシューカートン１Ａによれば、押上げ部３３Ａは、底面部３及び下側の妻面部５に設けられたミシン目を破断することにより形成され、底面部３の長手方向の一端部が折り曲げられて傾斜した状態で配置される第１傾斜部３４Ａと、第１傾斜部３４Ａから上方に折り曲げられて取出口２ｂの方向に傾斜した状態で配置される第２傾斜部３５Ａと、第２傾斜部３５Ａの先端に設けられ、取出口２ｂを挿通して当該取出口２ｂの近傍に係止される係止部３６Ａと、を備える。
従って、変形例に係るティシューカートン１Ａによれば、保湿ティシューペーパーＷＴを所定位置（取出口２ｂの下端部と下側の妻面部５の内面位置との間の位置）に位置するように支持することができるので、ティシューカートン１Ａの高さが高く取出口２ｂが幅狭である場合であっても、保湿ティシューペーパーＷＴを収容している側の内部空間を広く保つことができ、保湿ティシューペーパーＷＴの取り出し性を十分に確保することができる。
【００５０】
（その他の変形例）
例えば、上記実施形態では、フック孔３２を、底面部３の長手方向の一端部から長手方向の幅の２６〜４４％の位置に形成するようにしているが、これに限定されるものではない。即ち、長手方向の幅の２６〜４４％の位置の範囲外であってもその近傍であれば、十分な効果を得ることができる。
【００５１】
また、上記実施形態では、押上げ部３３が、傾斜部３４と、用紙支持部３５と、係止部３６と、を備える構成を例示して説明しているが、これに限定されるものではない。即ち、ティシューペーパーＴの下端部の位置を所定位置（下側の妻面部５の内面位置）よりも上側に位置するように支持可能な構成であれば、いかなる構成であってもよい。
【００５２】
また、上記実施形態では、傾斜部３４を、長手方向の長さが箱体の高さと同一となるように形成し、用紙支持部３５を、長手方向の長さが箱体の高さの半分の長さとなるように形成するようにしているが、これに限定されるものではない。即ち、ティシューペーパーＴを所定位置よりも上側に位置するように支持可能であれば、傾斜部３４と用紙支持部３５の長さの比はいかなる比であってもよい。
【００５３】
また、上記実施形態では、係止部３６を、取出口２ａの長手方向の他端部近傍に係止させるようにしているが、これに限定されるものではない。即ち、係止させる位置が他端部近傍から大きく離れない位置であれば、十分な効果を得ることができる。
【００５４】
また、上記実施形態では、フック孔部３１を略半円形状に形成するようにしているが、これに限定されるものではない。例えば、縦置きした際に、底面部３の短手方向中央に頂点部を有する形状であれば、いかなる形状に形成するようにしてもよい。ここで、頂点部には、多角形の頂点の他、半円等の上端、即ち、底面部３の上端部から最も近い位置が含まれるものとする。
【００５５】
また、上記実施形態では、フック孔部３１を押し開けてフック孔３２を形成する構成を例示して説明しているが、これに限定されるものではない。即ち、初めからフック孔３２が空いている構成としてもよい。ここで、フック孔には、フック孔部３１を押し開けて形成されるものと初めから形成されるものとが双方とも含まれるものとする。
【００５６】
その他、ティシューカートン１の細部構成に関しても、本発明の趣旨を逸脱することのない範囲で適宜変更可能である。
【符号の説明】
【００５７】
Ｔ  ティシューペーパー（家庭用薄葉紙）
ＷＴ  保湿ティシューペーパー
１、１Ａ  ティシューカートン（家庭用薄葉紙収納箱）
１ａ  カートンブランク
２  上面部
２ａ、２ｂ  取出口
３  底面部
３ａ 糊代部
３ｂ  折曲線
３１  フック孔部
３２  フック孔
３３、３３Ａ  押上げ部
３４  傾斜部
３５  用紙支持部
３６  係止部
３４Ａ  第１傾斜部
３５Ａ  第２傾斜部
３６Ａ  係止部
４  側面部
５  妻面部
５ａ  底面側フラップ
５ｂ  上面側フラップ
５ｃ  側面側フラップ
８  フィルム
８ａ  スリット
８ｂ  接着剤
Ｇ１，Ｇ２，Ｇ３  接着部
ｈ１  傾斜部の長さ
ｈ２  ティシューカートンの高さ
ｈ３  用紙支持部の長さ
ｈ４，ｈ５  振れ幅
Ｆ  フック
【図１】
0006637274.tif 000003
【図２】
0006637274.tif 000004
【図３】
0006637274.tif 000005
【図４】
0006637274.tif 000006
【図５】
0006637274.tif 000007
【図６】
0006637274.tif 000008
【図７】
0006637274.tif 000009
【図８】
0006637274.tif 000010
【図９】
0006637274.tif 000011
【図１０】
0006637274.tif 000012